(57)【特許請求の範囲】
【請求項１】
人体の被マッサージ部を受ける凹溝部を備えるとともに、この凹溝部の内側面に位置する空気袋を給排気手段によって膨張収縮させることで、凹溝部に位置させた被マッサージ部に圧迫刺激を与えるマッサージ機であって、上記凹溝部は空気袋をＵ字形に吊り下げることで形成されたものであり、凹溝部の軸方向においてずれた位置で吊り下げられた複数個の空気袋は上記軸方向においてその一部が重なり合う状態で配設されていることを特徴とするマッサージ機。
【請求項２】
空気袋は凹溝部の幅方向における中央部が絞られたものであることを特徴とする請求項１記載のマッサージ機。
【請求項３】
空気袋は凹溝部の幅方向における端部近傍に絞り部を備えたものであることを特徴とする請求項１または２記載のマッサージ機。
【請求項４】
各空気袋は相互に独立したものであることを特徴とする請求項１〜３のいずれか１項に記載のマッサージ機。
【請求項５】
給排気手段は、膨張させる空気袋を軸方向一端側から他端側へ順次切り換えるものであり、一端側の空気袋が他端側の空気袋の外側に位置していることを特徴とする請求項１〜４のいずれか１項に記載のマッサージ機。
【発明の詳細な説明】
【０００１】
【発明の属する技術分野】
本発明は空気袋の膨張収縮によって人体に対するマッサージを行うマッサージ機に関するものである。
【０００２】
【従来の技術】
空気袋の膨張収縮によって人体をマッサージするマッサージ機として、図８に示すものが提供されている。これは椅子の背もたれや座面、足載せ台に夫々空気袋２を配設したものである。
【０００３】
【発明が解決しようとする課題】
しかし、上記のマッサージ機では、各空気袋２が間隔を置いて配置されているために、身体に与える圧迫マッサージは部分的なものとなり、隙間のない連続的なマッサージとすることはできない。
【０００４】
脚部用のマッサージ機として、図９に示すように、全体として螺旋状となるように空気袋２を巻いた形態のものもあるが、空気袋２が連続して並んでいるとはいえ、その境界部分は膨張しないために、図１０から明らかなように、完全に連続したものとはなっていない。また、図示例においては境界線を図に示すように凹凸形状とすることで境界部分においても膨張するようにしてはいるが、連続的なものとなっていないことには変わりがなく、また、身体に対して空気袋が部分的にくいこむために、均一な圧迫を行うことはできない。
【０００５】
本発明はこのような点に鑑みなされたものであって、その目的とするところは隙間のない連続的なマッサージを行うことができるマッサージ機を提供するにある。
【０００６】
【課題を解決するための手段】
しかして本発明は、人体の被マッサージ部を受ける凹溝部を備えるとともに、この凹溝部の内側面に位置する空気袋を給排気手段によって膨張収縮させることで、凹溝部に位置させた被マッサージ部に圧迫刺激を与えるマッサージ機であって、上記凹溝部は空気袋をＵ字形に吊り下げることで形成されたものであり、凹溝部の軸方向においてずれた位置で吊り下げられた複数個の空気袋は上記軸方向においてその一部が重なり合う状態で配設されていることに特徴を有している。空気袋の一部同士を重ねることによって、空気袋の膨張による圧迫を隙間無く行うことができるようにしたものである。
【０００８】
また、空気袋は凹溝部の幅方向における中央部が絞られたものや、凹溝部の幅方向における端部近傍に絞り部を備えたものを好適に用いることができる。
【０００９】
さらに、各空気袋は相互に独立したものとしておくのが好ましい。
【００１０】
そして給排気手段は、膨張させる空気袋を軸方向一端側から他端側へ順次切り換えるものであり、且つ一端側の空気袋が他端側の空気袋の外側に位置しているものが、身体末梢側から心臓に向けて静脈内の血液を流すことが効果的に行えるものとなる。
【００１１】
【発明の実施の形態】
以下本発明を実施の形態の一例に基づいて詳述すると、図１に示すマッサージ機は、人体の両脚のふくらはぎ部分をマッサージするためのもので、パイプフレームで組まれた本体１０と、布のような柔軟性を有する材質で形成されて本体１０から吊り下げられた複数の空気袋２1，２2、そしてエアポンプと排気弁とを備えて各空気袋２1，２2を個別に膨張収縮させる給排気装置３とで構成されている。
【００１２】
パイプフレームで組まれた本体１０は、左右両端と左右方向中央部とに上方へ立ち上がる支持部１４を備えているもので、空気袋２1，２2はこれら支持部１４の上端に左右両端及び中央部が固定されることで、支持部１４，１４間に断面Ｕ字形をなす状態で吊り下げられて、２つの凹溝部が空気袋２1，２2によって形成されている。
【００１３】
マッサージのための空気袋２1，２2は、２枚のシートもしくは折り畳んで重ねた１枚のシートを溶着したり貼り合わせたりすることで上記凹溝部に面する部分に気室を形成したものであるが、これらは凹溝部の軸方向に並ぶものとなっているとともに、軸方向において一部が重複する状態で取りつけられている。
【００１４】
特に図示例のものにおいては、図２から明らかなように、各空気袋２1，２2の気室を幅方向の中央部に絞り部２５を備えるとともに両端にもそれぞれ小さい絞り部２６を設けたものとし、空気袋２1，２2の気室は図２(c)に示すように、端部において重なるものの、中央部は絞り部２５の存在のために、実際上は重なっていないようにしてある。
【００１５】
ここにおいて、絞り部２５は、上述のように吊り下げた状態で使用されて凹溝部に位置させた人体の脚のふくらはぎ部をマッサージするにあたり、空気袋２1，２2が図４(a)に示すような膨張状態となることを防いで、図４(b)に示すように、ふくらはぎ部を適切に圧迫することができるようにするためであり、また絞り部２６は図５(a)に示すように空気袋２1，２2の端部に皺２７が生じてしまうことを防いで図５(b)に示すように、滑らかな表面を保つようにするためである。
【００１６】
そして、上記のように一部を重複させた空気袋２1，２2は、図３に示すように、人体の末梢側に位置する空気袋２1をまず膨張させた後、該空気袋２1の膨張状態を維持させたまま空気袋２2を膨張させ、次いで両空気袋２1，２2から排気して収縮させる。
【００１７】
この時、両空気袋２1，２2は一部が重複しているために、膨張させた空気袋２1，２2間に隙間が生じることはなく、従って隙間のない連続的な圧迫マッサージを行うことができる。
【００１８】
また、両空気袋２1，２2を上記の順序で膨張させるために、静脈内の血液は心臓側へと送られることになり、隙間のない連続的な圧迫マッサージを行えることもあって、きわめて効果的なマッサージを得られるものである。
【００１９】
なお、空気袋２1，２2を重ねるにあたっては、図３から明らかなように、後から膨張させる空気袋２2を先に膨張させる空気袋２1の内側に位置させておくのが好ましい。空気袋２2の膨張が先に膨張している空気袋２1によって規制されるために、結果として身体側への膨張が強くなり、より強いマッサージを得ることができることになるからである。
【００２０】
なお、図示例では前述のように、人体の脚のふくらはぎ部のマッサージのためのものを示したが、腕あるいは下肢全体に対応させたものであってもよいのはもちろんであり、空気袋の数も図示例のものに限るものではない。また、ふくらはぎ部用とする場合においても、独立した形態のもののほか、図６に示すように、椅子７の座部前側に配して脚載せ台８を兼ねさせるものとしてもよく、また空気袋の形状にしても、図7に示すように、脚に巻き付ける構成のものとしてもよい。
【００２１】
【発明の効果】
以上のように本発明においては、凹溝部の軸方向においてずれた位置で吊り下げられた複数個の空気袋が上記軸方向においてその一部が重なり合う状態で配設されている上にこれら空気袋が上述のように吊り下げられて凹溝部を構成しているものであるために、複数個の空気袋はその重なり合う一部において被マッサージ部に隙間無く密着することになり、このために空気袋の膨張による圧迫を隙間無く行うことができるものであり、連続的で効果的なマッサージを得ることができる。
【００２３】
また、空気袋は凹溝部の幅方向における中央部が絞られたものとすることで、空気袋の膨張時の形状を人体の圧迫を適切に行うことができるものとすることができる。
【００２４】
さらに凹溝部の幅方向における端部近傍に絞り部を備えたものとしておけば、空気袋を膨張させた時に端部に皺が生じることを防ぐことができ、空気袋の寿命を長くすることができる。
【００２５】
また、各空気袋は相互に独立したものとしておくのことで、重なり合う部分を有しているにもかかわらず空気袋を容易に製造することができる。
【００２６】
そして給排気手段は、膨張させる空気袋を軸方向一端側から他端側へ順次切り換えるものであり、且つ一端側の空気袋が他端側の空気袋の外側に位置しているものが、身体末梢側から心臓に向けて静脈内の血液を流すことが効果的に行えるとともに、強いマッサージを得ることができるものとなる。
【図面の簡単な説明】
【図１】本発明の実施の形態の一例の斜視図である。
【図２】  (a)は空気袋の平面図、(b)は空気袋の平面図、(c)は重ねた状態の空気袋の平面図である。
【図３】  (a)(b)(c)は同上の動作を示す断面図である。
【図４】  (a)は絞り部がない状態の断面図、(b)は絞り部がある状態の断面図である。
【図５】  (a)は絞り部がない状態の斜視図、(b)は絞り部がある状態の斜視図である。
【図６】他例の斜視図である。
【図７】さらに他例の斜視図である。
【図８】従来例の斜視図である。
【図９】他の従来例を示すもので、(a)は斜視図、(b)は展開図である。
【図１０】同上の動作を示す断面図である。
【符号の説明】
２1  空気袋
２2  空気袋
【図１】
0003695221.tif 000002
【図２】
0003695221.tif 000003
【図３】
0003695221.tif 000004
【図４】
0003695221.tif 000005
【図５】
0003695221.tif 000006
【図６】
0003695221.tif 000007
【図７】
0003695221.tif 000008
【図８】
0003695221.tif 000009
【図９】
0003695221.tif 000010
【図１０】
0003695221.tif 000011